(57)【要約】【課題】口頸部２にキャップ本体３を嵌着させて容器体Ｂに装着するキャップ付きのストローであって、ストローの紛失がなく、液の吸飲可能及び不能状態の切り替えを簡単に行えることができ、しかも装飾性に優れ、取り扱い時により大きな視覚的楽しみを発揮するストロー付きキャップを提案する。【解決手段】キャップ本体頂壁７を貫通した筒状の固定部４ａの先端に、正立状態で固定部４ａと連通し且つ傾倒状態で固定部４ａとの連通を遮断する連結手段１４を介して、筒状の揺動部４ｂを連結したストロー４を備え、また、ストロー周囲に揺動部４ｂと一体の揺動が可能に動物等の形状をした中空の装飾部５を設け、装飾部５表面の窓孔内の表示部が、揺動部４ｂの起立状態と傾倒状態とで変化する如く構成した。【選択図】図３
2004149152.tif 000002
【特許請求の範囲】
【請求項１】
容器体Ｂの口頸部２に嵌着させる有頂筒状のキャップ本体３と、該本体の頂壁７を貫通して上方へ突出させた筒状の固定部４ａ先端に、正立状態で固定部４ａと連通し且つ傾倒状態で固定部４ａとの連通を遮断する連結手段１４を介して、揺動可能に揺動部４ｂを連結したストロー４と、該ストロー４周囲に、上記揺動部４ｂと一体の揺動が可能に設けた中空の装飾部５とを備えてなることを特徴とするストロー付きキャップ。
【請求項２】
上記装飾部５表面に窓孔２２を穿設するとともに、上記揺動部４ｂの起立状態と傾倒状態とで、窓孔２２内に露出する表示部２９が変化する如く構成した請求項１記載のストロー付きキャップ。
【発明の詳細な説明】
【０００１】
【発明の属する技術分野】
本発明はストロー付きキャップに関する。
【０００２】
【従来の技術】
容器内の飲料液をストローで吸飲することが一般に行われているが、より便利な方法として種々の手段を備えたものが提案されている（例えば、特許文献１参照）。
【０００３】
ここに示されているストローは、ペットボトル中に差し込んだままでも蓋をすることのできるもので、伸縮自在に形成した樹脂製であり、ペットボトル中に挿入した時伸張状態にて先端がペットボトルの飲み口から突出し、飲み口に蓋をした時に蓋の内面に押圧されて収縮状態にてペットボトル中に収納されるように構成している。
【０００４】
また、ストローを固定手段によりコップに固定して収納液を吸飲する如く構成したものも提案されている（例えば、特許文献２参照）。この考案は、犬などの動物の形状を型取った固定手段をコップの開口縁部に係着し、この固定手段に貫通させたストローによりコップ内の液を吸飲する如く構成している。
【０００５】
【特許文献１】
特開２００１−０１７２９９号公報（第１−２頁，図１）
【特許文献２】
実開平０２−１２１８７１号公報（第２−７頁，図１）
【０００６】
【発明が解決しようとする課題】
前者はボトル内にストローを常時内在させておくことができるため、収納液を飲みかけのまま保管することができ、いつでも吸飲することができ、ストローを紛失する等の不都合のない便利なものである。
【０００７】
また後者は、コップにストローを安定的に固定できるため、吸飲操作がより安定して容易に行えるものであるとともに、固定手段を装飾性の高いマスコットとしているため、使用者に収納液を味わう楽しみに加えて視覚的楽しみを付加することができるものである。
【０００８】
本発明は上記前者の利点及び後者の利点を兼ね備えたストロー付きキャップを提案するものである。即ち、ストローの紛失がなく、取り扱いが便利であり、しかも、装飾性に優れ、取り扱い時により大きな視覚的な楽しみを発揮するストロー付きキャップを提案するものである。また、これに加え簡単な操作で液の吸飲が可能な状態から吸飲不能の状態への切り替えを行えるストロー付きキャップを提案するものである。
【０００９】
【課題を解決するための手段】
本請求項１発明のストロー付きキャップは、上記課題を解決するため、容器体Ｂの口頸部２に嵌着させる有頂筒状のキャップ本体３と、該本体の頂壁７を貫通して上方へ突出させた筒状の固定部４ａ先端に、正立状態で固定部４ａと連通し且つ傾倒状態で固定部４ａとの連通を遮断する連結手段１４を介して、揺動可能に揺動部４ｂを連結したストロー４と、該ストロー４周囲に、上記揺動部４ｂと一体の揺動が可能に設けた中空の装飾部５とを備えてなることを特徴とするストロー付きキャップとして構成した。
【００１０】
また、請求項２発明のストロー付きキャップは、上記装飾部５表面に窓孔２２を穿設するとともに、上記揺動部４ｂの起立状態と傾倒状態とで、窓孔２２内に露出する表示部２９が変化する如く構成した請求項１記載のストロー付きキャップとして構成した。
【００１１】
【発明の実施の形態】
以下、本発明の実施例の形態を図面を参照して説明する。
【００１２】
本発明のストロー付きキャップＡは、容器体Ｂの口頸部２に嵌着して使用するもので、全体を合成樹脂等により形成している。
【００１３】
ストロー付きキャップＡは、キャップ本体３と、ストロー４と、装飾部５とを備えている。
【００１４】
キャップ本体３は、容器体Ｂの口頸部２に嵌着して全体を容器体Ｂに装着するためのものであり、口頸部２外周に嵌合させた周壁６の上端縁より頂壁７を延設した下端開口の有頂筒状をなしている。
【００１５】
図示例では、周壁６を口頸部２外周に螺合することにより係止する如く構成しているが、これに限られず突条相互の乗越え係合等の通常の係止手段により係止する如く構成しても良い。また、頂壁７裏面より口頸部２内周に密嵌させたシール筒８を垂設してこの部分からの液の漏出防止を図っている。更に、周壁６下端部から外方へ装飾部５の一部を支持するためのフランジ９を突設するとともに、周壁６下端部より破断部１０を介して係止筒１１を垂設している。この係止筒１１は、内周に突設した係合突条１２を口頸部２外周の係止突条１３下面に乗越え係合させて抜け出しの防止を図っている。
【００１６】
ストロー４は、キャップ本体３の頂壁７を貫通して上方へ突設させた筒状の固定部４ａ先端に、正立状態で固定部４ａと連通し且つ傾倒状態で固定部４ａとの連通を遮断する連結手段１４を介して、揺動可能に筒状の揺動部４ｂを連結している。
【００１７】
図示例では、キャップ本体３と一体に形成するとともに、その頂壁７を貫通して上方へ起立した上部固定部４ａ１  と、該上部固定部４ａ１  下端に上端を嵌着して容器体Ｂ内に下端を垂下した下部固定部４ａ２  とで、固定部４ａを構成している。
【００１８】
また、ストロー４には、図示例の如くストローキャップ１５を設けると良い。このストローキャップ１５は単なる一端を閉塞した筒状のものであっても良いが、図示例の如く、ストロー４に固定しておくことができるものがより好ましい。図示例のストローキャップ１５は、ストロー４外周に密嵌させた取付リング１６より可撓性の連結帯１７を介して一体に設けており、使用時にストロー４にぶら下げておくことができる。
【００１９】
また、上記連結手段１４は上記要件を満たせば種々の形態を採用できる。例えば、揺動部４ｂの下端部外周を横円柱状外周の軸部１８に形成し、一方、固定部４ａの上端部に、固定部４ａ上端開口と揺動部４ｂ下端開口とを連通させた状態から、軸部１８が回転してその周面によって固定部４ａ上端開口を閉塞する状態への回転が可能に揺動部４ｂ下端部を嵌合することができる軸受１９を設けて構成している。
【００２０】
図示例に於ける軸受１９は、全体的に横向きの円筒状をなし、固定部４ａの上端開口と連通し、且つ、上記軸部１８が回転可能に嵌合する横円柱状空間２０を中央部に備え、該横円柱状空間２０の上方に上端を開口した正面視扇状の扇状空間２１を連設している。この扇状空間２１の一側面を垂直状に、他側面を傾斜状に形成して、揺動部４ｂの下部が一側面から他側面に至る間を揺動可能に構成している。そして、揺動部４ｂが起立状態の時にその下端開口が固定部４ａの上端開口と連通し、傾斜状態の際には、軸部１８周面が上端開口を閉塞して連通を遮断する如く構成している。尚、図示例では、キャップ本体３と、上部固定部４ａ１  と、前板以外の軸受１９とを一体に形成しており、別体に形成した前板を後に固着して軸受１９を形成している。
【００２１】
装飾部５は、ストロー４周囲に、上記揺動部４ｂと一体の揺動が可能に設けている。この装飾部５は、例えば、動物や植物などの生物、その他種々の物体などの形状を型取った中空のものであり、その形状は写実的なものに限らず、デフォルメしたものであっても架空のものであっても良い。また、図示例の如く分離した複数の装飾部構成体（例えば後述胴部及び頭部）により装飾部を形成しても良い。また、装飾部５の表面には図示例の如く窓孔２２を穿設しても良い。
【００２２】
図示例では、キャップ本体３の外周部分に胴部２３を、軸受１９外周部分に頭部２４を設けた架空の動物の形態をなし、頭部２４がストロー揺動部４ｂの揺動に伴って揺動する如く構成している。更に具体的にいえば、胴部２３は、上記上部固定部４ａ１  外周に嵌合させた嵌合筒２５の上端縁よりドーム状の外壁２６を延設し、その下端部を上記フランジ９外周縁に嵌合させた部材を装着して構成している。尚、この部材は、その取り付けの便宜上複数のパーツで構成し、それらを装着した後固定したり、或いは開閉可能な構造にして装着したりすることができる。
【００２３】
また、頭部２４は、動物の顔の形状をした偏平箱型をなす中空状で、上端部及び下端部にそれぞれ貫通孔２７及び長孔２８を穿設し、上部の貫通孔２７よりストロー揺動部４ｂを突設させるとともに、下部の長孔２８より上部固定部４ａ１  を下方へ突出させ、内部に上記連結手段１４を収納している。また、揺動部４ｂと頭部２４とは上記貫通孔２７部分で固定しており、揺動部４ｂを回動させると、それに伴って頭部２４も回動する如く構成している。尚、上記長孔２８は、図示例の如く、下面に沿って横長に形成し、頭部２４が回動した際に上部固定部４ａ１  がぶつからないように構成している。また、図示例の頭部２４は前後二部材で構成している。
【００２４】
上記窓孔２２は、上記揺動部４ｂの起立状態と傾倒状態とで、窓孔２２内に露出する表示部２９が変化する如く構成したもので、種々の形態を採用でき、その数も図示例の如く二つに限らず、一つでも三つ以上でも良く、その形状も装飾部の形状等に対応して種々選択することができる。また、同様に表示部２９も窓孔２２に対応して窓孔２２内方所定位置に設けることができる。図示例では、目の外径を型取った一体の窓孔２２を前面に穿設しており、また、上記軸受１９の前面所定位置に、それぞれ表示部２９としての表情の異なる黒目２９ａ  、２９ｂ  を二種類印刷等の適宜手段により施している。
【００２５】
上記の如く構成したストロー付きキャップＡは、例えば、図１の状態からストローキャップ１５を外して容器体内の収納液を吸飲することができる。この際窓孔２２内には目を開いた状態の黒目２９ａ  が位置する。また、この状態から斜めに回動させれば、揺動部４ｂ下端の開口が閉塞され、容器体内の液の吸飲ができなくなる。その際、窓孔２２内には、図２に示す如く、目を閉じた状態の黒目２９ｂ  が位置して異なる表情を表す。
【００２６】
【発明の効果】
以上説明した如く本発明ストロー付きキャップは、既述構成としたことにより、ストローが常時固定されているためストローを紛失する虞がなく、即座に吸飲できるため取り扱いも便利である。また、ストロー揺動部を傾け或いは正立させるという簡単な操作により、液の吸飲が可能な状態と不可能な状態との切り替えが行える便利があり、しかも、装飾部の存在により取り扱い時に大きな視覚的楽しみを発揮するものである。
【００２７】
また、上記装飾部表面に窓孔を穿設するとともに、揺動部の起立状態と傾倒状態とで、窓孔内に露出する表示部が変化する如く構成したものにあっては、取り扱い時により更に大きな視覚的楽しみを発揮するものである。
【図面の簡単な説明】
【図１】本発明の一実施例を示す正面図である。
【図２】同実施例の揺動部を傾けた状態の正面図である。
【図３】同実施例の縦断面図である。
【符号の説明】
２…口頸部，３…キャップ本体，４…ストロー，４ａ…固定部，４ｂ…揺動部，
５…装飾部，７…頂壁，１４…連結手段，２２…窓孔，２９…表示部，
Ａ…ストロー付きキャップ，Ｂ…容器体
【図１】
2004149152.tif 000003
【図２】
2004149152.tif 000004
【図３】
2004149152.tif 000005